(57)【要約】【課題】テレビジョン受像機における設定項目のメニュー選択や内容設定（値設定）の際に、放送チャンネルの選局を可能としつつ、操作入力部に対する必要な操作を簡素化することができること。【解決手段】テレビジョン受像機Ｘに対する複数の設定項目の情報及びその各々と対応づけられた数字とを含む選択メニュー映像を、放送チャンネルの番組映像に重畳させてモニタ画面に表示させ（Ｓ２）、その状態で、操作入力部に対する所定のキー操作の検知に基づいて動作モードを「ＳＣモード」と「選局モード」との間で切り替え（Ｓ４）、前記「ＳＣモード」である場合に、前記数字キーに対する操作の検知に基づいてその数字に対応する前記設定項目を選択し（Ｓ７）、一方、前記「選局モード」である場合に、前記数字キーに対する操作の検知に基づいて前記放送チャンネルの選局を行う（Ｓ１０）。【選択図】図４
2008098913.tif 000002
【特許請求の範囲】
【請求項１】
複数の放送チャンネルに対応した複数の数字キーを有する操作入力部と、操作された前記数字キーに対応する前記放送チャンネルを選択する数字キー選局によって選択された前記放送チャンネルの番組映像を表示する映像表示部と、を具備するテレビジョン受像機であって、
当該テレビジョン受像機に対する複数の設定項目の情報及びその各々と対応づけられた数字とを含む選択メニュー映像を、前記数字キー選局によって選択された前記放送チャンネルの番組映像に重畳させて前記映像表示部に表示させる選択メニュー表示制御手段と、
前記放送番組の映像に重畳された前記選択メニュー映像が前記映像表示部に表示された状態で、前記操作入力部に対する所定のキー操作の検知に基づいて動作モードを第１モードと第２モードとの間で切り替える動作モード切替手段と、
前記動作モードが前記第１モードである場合に、前記数字キーに対する操作の検知に基づいて該数字キーの数字に対応する前記設定項目を選択する数字キー設定項目選択手段と、
前記動作モードが前記第２モードである場合に、前記数字キーに対する操作の検知に基づいて前記数字キー選局を行う数字キー選局手段と、
を具備してなることを特徴とするテレビジョン受像機。
【請求項２】
前記設定項目が、前記映像表示部による映像出力状態の調整に関する設定項目及び所定のスピーカによる音声出力状態の調整に関する設定項目のうちの一方又は両方を含んでなる請求項１に記載のテレビジョン受像機。
【請求項３】
前記選択メニュー表示制御手段が、予め定められた前記設定項目が選択された場合に、前記放送チャンネルの番組映像に重畳させる前記選択メニュー映像を現在表示中のものからそれより下位のものに変更する階層選択メニュー表示制御手段を具備してなる請求項１又は２のいずれかに記載のテレビジョン受像機。
【請求項４】
前記動作モードがいずれのモードであるかを識別するマークを前記映像表示部に表示させるモード識別マーク表示制御手段を具備してなる請求項１〜３のいずれかに記載のテレビジョン受像機。
【請求項５】
前記動作モードが前記第１モードであって、前記数字キー設定項目選択手段により数値情報を設定内容とする前記設定項目が選択された場合に、前記数字キーに対する操作の検知に基づいて前記設定項目に前記数値情報を設定する数字キー数値設定手段を具備してなる請求項１〜４のいずれかに記載のテレビジョン受像機。
【請求項６】
前記操作入力部が項目選択に用いられるカーソル移動キーも有し、
前記動作モードが前記第１モードであるか前記第２モードであるかによらず、前記カーソル移動キーに対する操作の検知に基づいて前記設定項目を選択するカーソル移動キー設定項目選択手段を具備してなる請求項１〜５のいずれかに記載のテレビジョン受像機。
【請求項７】
前記動作モード切替手段が、前記操作入力部に設けられた所定の専用キーに対する操作の検知に基づいて前記動作モードの切り替えを行うものである請求項１〜６のいずれかに記載のテレビジョン受像機。
【請求項８】
前記動作モード切替手段が、前記数字キーの操作が検知された場合に、その操作が所定時間以上継続する長押し操作であるときにのみ前記動作モードを前記第１モードから一時的に前記第２モードに切り替え、前記数字キー選局手段による処理の実行後に前記第１モードに戻すものである請求項１〜６のいずれかに記載のテレビジョン受像機。
【発明の詳細な説明】
【技術分野】
【０００１】
本発明は、選局用の数字キーを有する操作入力部及び番組映像を表示する映像表示部を備えたテレビジョン受像機に関するものである。
【背景技術】
【０００２】
一般に、テレビジョン受像機は、複数の放送チャンネルに対応した複数の数字キー（通常は、１〜１２の数字キー）を有する操作入力部（リモート操作器がその典型例）と、放送信号から特定の放送チャンネルの信号（映像信号及び音声信号）を抽出するチューナと、チューナにより抽出された映像信号に基づく番組映像を表示する映像表示部と、同じくチューナにより抽出された音声信号に基づく音声を出力するスピーカとを備えている。そして、テレビジョン受像機は、操作された前記数字キーに対応する放送チャンネルを選択する処理（以下、数字キー選局という）を実行し、これによって選択された放送チャンネルの番組映像を映像表示部に表示させる。
また、テレビジョン受像機は、映像表示部における映像表示状態（表示の明るさや色合い等）に関する設定項目や、スピーカを通じた音声出力状態（音質、左右バランス、サラウンド等）に関する設定項目等、そのテレビジョン受像機に対する複数の設定項目についての設定情報を記憶手段内に保持している。さらに、テレビジョン受像機は、前記設定項目の選択メニュー映像を、番組映像に重畳させるいわゆるＯＳＤ（On Screen Display）機能によって映像表示部に表示させるとともに、所定の操作入力に従って前記設定項目のいずれかを選択し、その内容（前記設定情報）を更新（設定）する機能を備えている。
通常、前記設定項目には、前記設定情報に直結するもの（１対１に対応するもの）と、関連する複数の前記設定項目についての分類項目として位置づけられるものとが含まれる。即ち、前記分類項目としての前記設定項目と、それに属する複数の前記設定項目とは上位と下位との関係を有する。この場合、テレビジョン受像機は、上位の前記設定項目が選択された場合に、番組映像に重畳させる前記選択メニュー映像を、現在表示中のものからそれより下位の前記設定項目に関するものに変更する階層的な選択メニュー表示制御を行う。
また、特許文献１には、各階層の前記選択メニュー映像において選択項目（設定項目に相当）を選択した操作の履歴情報を記録し、その履歴情報から選択頻度が高いと判断される選択項目については、途中階層の前記選択メニュー映像の表示を省略することによって選択手順を簡略化する技術が示されている。
また、特許文献２には、前記選択メニュー映像に含める選択項目をユーザによりカスタマイズすることを可能とし、これによりメニュー操作の回数を減らす技術が示されている。
【特許文献１】特開平５−２６５６８２号公報
【特許文献２】特開平９−３０５３６０号公報
【発明の開示】
【発明が解決しようとする課題】
【０００３】
ところで、テレビジョン受像機における設定項目の中には、ユーザが複数の放送チャンネルの番組映像や音声の状態を確認しつつその内容を調整（変更）したいと考えるものがある。例えば、映像表示部の表示の明るさや色合い、或いはスピーカの出力音声の音質やサラウンドの状態などの設定項目がそれに該当する。ユーザは、これらの設定項目について、様々な種類の映像や音声についてバランスのとれた調整結果となったかを確認したいと考えるからである。
そして、上記事情に基づき設計された従来のテレビジョン受像機は、設定項目の選択メニュー映像の表示中において、前記数字キーの操作入力に基づいて選局処理（出力する放送チャンネルの変更）を行い、所定のカーソル移動キーの操作入力に基づいて設定項目の選択処理が行われる。なお、リモコン等の操作入力部に設けられる前記カーソル移動キーは、通常、上下及び左右の４方向のいずれかにカーソルを移動させる方向キーである場合が多い。
しかしながら、従来のテレビジョン受像機において、そのユーザは、選択メニュー映像に表示される多くの設定項目の中から目的とする設定項目を選択するまでに前記カーソル移動キーを非常に数多く操作しなければならず、その操作が非常に煩雑であるという問題点があった。
また、特許文献１や特許文献２に示される技術が適用されたテレビジョン受像機は、複数のユーザによって共用された場合、一部のユーザを除く他のユーザにとっては返って操作性が悪いものになったり、或いは結局はいずれのユーザの嗜好にも合致しない中途半端なものになったりするという問題点を有している。この問題点は、家族等によって共用されることが一般的であるテレビジョン受像機においては避け難いものである。
従って、本発明は上記事情に鑑みてなされたものであり、その目的とするところは、テレビジョン受像機における設定項目のメニュー選択や内容設定（値設定）の際に、放送チャンネルの選局（即ち、出力映像や出力音声の切り替え）を可能としつつ、操作入力部に対する必要な操作を簡素化することができるテレビジョン受像機を提供することにある。
【課題を解決するための手段】
【０００４】
上記目的を達成するために本発明は、複数の放送チャンネルに対応した複数の数字キーを有する操作入力部と、操作された前記数字キーに対応する前記放送チャンネルを選択する数字キー選局によって選択された前記放送チャンネルの番組映像を表示する映像表示部とを具備し、さらに、以下の（１）〜（４）に示す各構成要素を備えたテレビジョン受像機として構成されるものである。
（１）当該テレビジョン受像機に対する複数の設定項目の情報及びその各々と対応づけられた数字とを含む選択メニュー映像を、前記数字キー選局によって選択された前記放送チャンネルの番組映像に重畳させて前記映像表示部に表示させる選択メニュー表示制御手段。
（２）前記放送番組の映像に重畳された前記選択メニュー映像が前記映像表示部に表示された状態で、前記操作入力部に対する所定のキー操作の検知に基づいて動作モードを第１モードと第２モードとの間で切り替える動作モード切替手段。
（３）前記動作モードが前記第１モードである場合に、前記数字キーに対する操作の検知に基づいて該数字キーの数字に対応する前記設定項目を選択する数字キー設定項目選択手段。
（４）前記動作モードが前記第２モードである場合に、前記数字キーに対する操作の検知に基づいて前記数字キー選局を行う数字キー選局手段。
【０００５】
上記構成を備えた本発明に係るテレビジョン受像機は、前記設定項目のメニュー選択や内容設定（値設定）がなされる際に、前記数字キーに対する操作を、前記放送チャンネルの選局（即ち、出力映像や出力音声の切り替え）の指示として採用するか、前記設定項目の選択の指示として採用するかを前記動作モードに応じて切り替える。
従って、本発明に係るテレビジョン受像機は、前記設定項目のメニュー選択や内容設定（値設定）の際に、前記数字キーによる放送チャンネルの選局も行いたい場合に好適である。例えば、前記設定項目が、前記映像表示部による映像出力状態の調整に関する設定項目（明るさ、色合い等）及び所定のスピーカによる音声出力状態の調整に関する設定項目（音質、サラウンド設定等）のうちの一方又は両方を含む場合などである。この場合、ユーザは、複数の前記放送チャンネル（番組）について、前記映像出力の状態や前記音声出力の状態を確認しながら前記設定項目を設定（調整）する操作を容易に行うことができる。
また、本発明に係るテレビジョン受像機は、前記動作モードが前記第１モードである場合には、前記数字キーの１回の操作に応じて１つの前記設定項目を選択する。これにより、前記数字キーによる放送チャンネルの選局が可能であると同時に、前記設定項目を選択するために必要な前記操作入力部に対する操作が簡素化される。
また、本発明に係るテレビジョン受像機は、前記選択メニュー表示制御手段が、予め定められた前記設定項目が選択された場合に、前記放送チャンネルの番組映像に重畳させる前記選択メニュー映像を現在表示中のものからそれより下位のものに変更する階層選択メニュー表示制御手段を具備する場合（階層的な前記選択メニュー映像の表示制御を行う場合）に好適である。この場合、前記設定項目の選択のための操作の簡素化が特に顕著になるからである。
【０００６】
また、本発明に係るテレビジョン受像機が、前記動作モードがいずれのモードであるかを識別するマークを前記映像表示部に表示させるモード識別マーク表示制御手段を具備することも考えられる。これにより、ユーザは、前記数字キーの操作が、前記放送チャンネルの選局処理と前記設定項目の選択処理とのいずれに反映されるかを容易に把握できる。
また、本発明に係るテレビジョン受像機が、前記動作モードが前記第１モードであって、前記数字キー設定項目選択手段により数値情報を設定内容とする前記設定項目が選択された場合に、前記数字キーに対する操作の検知に基づいて前記設定項目に前記数値情報を設定する数字キー数値設定手段を具備することも考えられる。
これにより、前記数字キーを前記設定項目の数値入力用としても兼用でき、所定のカウントアップキーやカウントダウンキーの操作によって値を順次変更する場合に比べ、前記設定項目の内容変更（数値入力）の操作が簡素化される。
また、前記操作入力部が項目選択に用いられるカーソル移動キーも有し、本発明に係るテレビジョン受像機が、前記動作モードが前記第１モードであるか前記第２モードであるかによらず、前記カーソル移動キーに対する操作の検知に基づいて前記設定項目を選択するカーソル移動キー設定項目選択手段を具備することも考えられる。
これにより、従来通り、前記カーソル移動キーを用いた前記設定項目の選択も可能となり便利である。
【０００７】
また、前記動作モード切替手段の具体例としては、以下の２つの例が考えられる。
第１の例は、前記動作モード切替手段が、前記操作入力部に設けられた所定の専用キーに対する操作の検知に基づいて前記動作モードの切り替えを行うものである。
一方、第２の例は、前記動作モード切替手段が、前記数字キーの操作が検知された場合に、その操作が所定時間以上継続する操作（いわゆる長押し操作）であるときにのみ前記動作モードを前記第１モードから一時的に前記第２モードに切り替え、前記数字キー選局手段による処理の実行後に前記第１モードに戻すものである。
これにより、前記操作入力部に前記専用キーを設ける必要がなくなる。
【発明の効果】
【０００８】
本発明によれば、前記動作モードの切り替えにより、前記数字キーによる放送チャンネルの選局を可能としつつ、前記数字キーの１回の操作に応じて１つの前記設定項目を選択したり、前記数字キーの操作によって前記設定項目の内容を設定したりすることができる。その結果、前記設定項目のメニュー選択や内容設定（値設定）の際に、操作入力部に対する必要なキー操作を簡素化することができる。
【発明を実施するための最良の形態】
【０００９】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係るテレビジョン受像機Ｘの概略構成を表すブロック図、図２はテレビジョン受像機Ｘにおける階層的な項目選択メニュー映像の構成の一例を表す図、図３はテレビジョン受像機Ｘにおける項目選択メニュー映像の表示例を表した図、図４はテレビジョン受像機Ｘにおける設定項目選択・更新処理の手順を表すフローチャートである。
【００１０】
まず、図１に示すブロック図を参照しつつ、本発明の実施形態に係るテレビジョン受像機Ｘの構成について説明する。
テレビジョン受像機Ｘは、当該テレビジョン受像機Ｘに対する複数の設定項目の内容（以下、設定情報という）を記憶し、その設定項目の選択メニュー映像をモニタ画面６（映像表示部の一例）に表示させるとともに、リモコン７を通じた操作入力に従って前記設定項目のいずれかを選択し、その内容（前記設定情報）を更新（設定）する処理（以下、設定項目選択・更新処理という）を実行する機能を備えている。
図１に示すように、テレビジョン受像機Ｘは、複数のチューナ１ａ、１ｂ、１ｃと、外部入力部２と、映像切替回路３と、映像処理回路４と、ＯＳＤ処理回路５と、リモコン７と、制御回路８と、リモコンインターフェース（Ｉ／Ｆ）回路９と、モニタ画面６と、音声切替回路１０と、音声処理回路１１と、アンプ１２と、スピーカ１３とを具備している。
前記チューナ１ａ、１ｂ、１ｃは、各々地上波放送信号（テレビ放送信号）が入力される地上波チューナ１ａ、ＢＳ衛星放送信号が入力されるＢＳチューナ１ｂ、ＣＡＴＶ放送信号が入力されるＣＡＴＶチューナ１ｃであり、入力された各放送信号から、前記制御回路８により指示される放送チャンネルの信号を抽出（選局）するとともに、その抽出信号の検波によって映像信号及び音声信号を取り出し、その映像信号及び音声信号の各々を前記映像切替回路３及び前記音声切替回路１０各々へ伝送するものである。なお、各放送信号には、複数チャンネル分の映像信号及びその映像と同期した音声信号が重畳されている。
また、前記外部入力部２は、外部からコンポジット方式の映像信号及び音声信号や、セパレート方式の映像信号及び音声信号（いわゆるＳ端子の信号）等の外部入力映像信号及び外部入力音声信号を入力し、それらを前記映像切替回路３及び前記音声切替回路１０各々へ伝送するインターフェースである。
前記映像切替回路３は、前記チューナ１ａ、１ｂ、１ｃ各々からの映像信号及び前記外部入力部２からの映像信号を入力し、それらの映像信号のうちの任意の１つの映像信号を前記制御回路８からの指示に従って選択して出力するものである。
【００１１】
前記映像処理回路４は、前記映像切替回路３から出力された映像信号に対して各種信号処理を行うものである。例えば、映像信号から水平及び垂直同期信号の分離、その同期信号に位相同期したクロック信号の生成、映像信号からの輝度信号及び色信号の分離、所定の画質改善処理等を行い、処理後の映像信号を前記ＯＳＤ処理回路５に出力する。
前記ＯＳＤ処理回路５は、前記映像処理回路４から伝送される映像信号を前記モニタ画面６に出力することにより、前記映像処理回路４による処理後の映像信号をそのまま前記モニタ画面６に表示させるか、その映像信号に前記制御回路８から指示された情報を表示する映像をスーパーインポーズにより重畳させた（合成した）映像信号（以下、ＯＳＤ映像信号という）を生成し、そのＯＳＤ映像信号を前記モニタ画面６に表示させるかを切り替えるものである。
【００１２】
前記モニタ画面６は、例えば、液晶パネル及びその周辺機器等からなる映像表示部であり、前記ＯＳＤ処理回路５から出力される映像信号に基づく映像を表示する。
前記制御回路８は、演算手段であるＭＰＵ８ａ、そのＭＰＵ８ａによって実行される制御プログラムが予め格納される記憶手段であるＲＯＭ８ｂ（ＥＰＲＯＭ）、前記ＭＰＵ８ａが実行する処理によって書き込まれる設定情報を記憶するＥＥＰＲＯＭ８ｃ等を備え、当該テレビジョン受像機Ｘ全体を制御するものである。
前記リモコン７は、複数の操作キーが設けられた操作入力部であり、前記操作キーが操作（押下）された場合に、その操作キーに対応する操作入力情報を赤外線等の無線信号により出力するものである。このリモコン７は、電源（通電）のＯＮ／ＯＦＦを切り替えるための電源キーや、複数の放送チャンネルに対応した複数の数字キー（「１」〜「１２」の数字キー）、上下及び左右の４方向のいずれかにモニタ画面６上のカーソルを移動させるための方向キー（カーソル移動キーの一例）、音量の大小を調節するための音量キー等の操作キーが設けられている。ここで、前記方向キーは、例えば、前記設定項目の選択メニュー映像が前記モニタ画面６に表示されている状態で、前記設定項目を選択するために用いられる。
前記リモコンインターフェース回路９は、当該テレビジョン受像機Ｘの操作用のリモコン７（リモート操作器）から、赤外線伝送等の無線伝送によって前記リモコン７に対する操作入力情報を取得し、その操作入力情報を前記制御回路８に出力するものである。
例えば、チャンネル選択が行われる場合、前記リモコン７における前記数字キーに対応する制御コードが、前記リモコンインターフェース回路９を通じて前記制御回路８に伝送される。さらに、前記制御回路８が、その制御コードに従って前記チューナ１ａ、１ｂ、１ｃのいずれかに対して選局する放送チャンネルを指定するとともに、その放送チャンネルの番組映像が前記モニタ画面６に表示されるように前記映像切替回路３及び前記ＯＳＤ処理回路５を制御する。
即ち、前記制御回路８、前記映像切替回路３及び前記ＯＳＤ処理回路５は、前記リモコン７において操作された前記数字キーに対応する放送チャンネルを選択する処理（以下、数字キー選局という）を実行し、モニタ画面６（映像表示部の一例）は、その数字キー選局によって選択された前記放送チャンネルの番組映像を表示する。
【００１３】
前記音声切替回路１０は、前記チューナ１ａ、１ｂ、１ｃ各々からの音声信号及び前記外部入力部２からの音声信号が入力され、それらの音声信号のうちの任意の１つの音声信号を、前記制御回路８からの指示に従って前記音声処理回路１１に出力するものである。
前記音声処理回路１１は、前記制御回路８からの指示に従って、前記音声切替回路１０から出力された音声信号に対して各種信号処理を行うものである。例えば、前記スピーカ１３の特性に合わせたイコライズ処理や、サラウンド処理等を行う。
前記アンプ１２は、前記音声処理回路１１による処理後の音声信号を、前記制御回路８からの指示に従って増幅或いは減衰させる処理を行い、前記スピーカ１３に出力するものである。
【００１４】
次に、図２及び図３を参照しつつ、テレビジョン受像機Ｘにおいて前記設定項目の選択及びその内容（前記設定情報）の更新が行われる際にモニタ画面６に表示される前記設定項目の選択メニューの映像（以下、項目選択メニュー映像という）について説明する。なお、図２は階層的な前記項目選択メニュー映像の構成の一例を表し、図３は前記項目選択メニュー映像の表示例を表す。
図２に示すように、前記項目選択メニュー映像ｖ１は、テレビジョン受像機Ｘに対する複数の前記設定項目の名称ｄ１（前記設定項目の情報の一例）及びその各々と対応づけられた数字ｄ２とを含む映像である。
そして、前記制御回路８は、図３に示すように、前記項目選択メニュー映像ｖ１を、前記数字キー選局によって選択された前記放送チャンネルの番組映像ｖ０に重畳させて前記モニタ画面６に表示（ＯＳＤ表示）させる（選択メニュー表示制御手段の一例）。なお、前記制御回路８は、前記ＯＳＤ処理回路５を制御することによって前記項目選択メニュー映像ｖ１をＯＳＤ表示させる。
ここで、前記設定項目には、図２に示す「明るさ」や「サラウンド」のように、その内容（前記設定情報）に直結するもの（１対１に対応するもの）と、「映像調整」や「音声調整」のように、関連する複数の前記設定項目についての分類項目として位置づけられるものとが含まれる。即ち、「映像調整」、「音声調整」等、前記分類項目としての前記設定項目の情報ｄ１を含む前記項目選択メニュー映像ｖ１（図２における第１階層のメインメニュー等）と、「明るさ」や「サラウンド」のような前記設定項目の情報ｄ１を含む前記項目選択メニュー映像ｖ１（図２における第２階層のサブメニュー等）とは、上位と下位との関係を有する。
そして、前記制御回路８は、上位の前記項目選択メニュー映像ｖ１における前記設定項目が選択された場合に、前記番組映像ｖ０に重畳させる前記項目選択メニュー映像ｖ１を、現在表示中のものからそれより下位の前記項目選択メニュー映像ｖ１に変更する階層的な選択メニュー表示制御を行う（階層選択メニュー表示制御手段の一例）。
また、前記制御回路８は、前記項目選択メニュー映像ｖ１の表示中において、そこに含まれる前記設定項目の情報ｄ１のいずれかにカーソルを設定しており、さらに、そのカーソルに対応する前記設定項目をその時点の選択対象として認識している。
なお、最上位の階層から順次下位の層に渡る各階層ごとの数字の組合せと、前記設定項目それぞれとの対応関係を表す情報（以下、数字・設定項目対応情報という）が、予め前記ＲＯＭ８ｂ等に記憶されている。
【００１５】
次に、図４に示すフローチャートを参照しつつ、テレビジョン受像機Ｘにおける前記設定項目選択・更新処理の手順について説明する。前記制御回路８が実行する以下の処理は、前記ＭＰＵ８ａが前記ＲＯＭ８ｂに予め記憶された制御プログラムを実行することにより具現される。また、Ｓ１、Ｓ２、…は、前記制御回路８の処理手順（ステップ）の識別符号を表す。
また、図４に示す処理は、前記制御回路８が、前記リモコンインターフェース回路９を通じて入力される信号に基づいて、前記リモコン７に設けられた設定項目表示キーが操作されたことが検知された場合に開始される。
［ステップＳ１］
まず、前記制御回路８は、前記設定項目表示キーが操作されたことを検知すると、当該テレビジョン受像機Ｘの動作モードを、初期状態である「ショートカットモード」（以下、ＳＣモードという）に設定する（Ｓ１）。具体的には、前記動作モードを表す変数に「ＳＣモード」の識別情報を設定する。
ここで、前記動作モードの状態としては、「ＳＣモード」と「選局モード」とが存在する。前記「ＳＣモード」は、前記制御回路８が、前記リモコン７の前記数字キーが操作されたことを検知された場合に、その数字キーの数字に対応する前記設定項目を選択する処理を実行する動作モード（前記第１モードに相当）である。前記「選局モード」は、前記制御回路８が、前記リモコン７の前記数字キーが操作されたことを検知された場合に、前記数字キー選局（その数字キーに対応する前記放送チャンネルを選択する処理）を実行する動作モードである。
【００１６】
［ステップＳ２］
次に、前記制御回路８は、前記ＯＳＤ処理回路５を制御することにより、図３に示したように、前記項目選択メニュー映像ｖ１を前記モニタ画面６にＯＳＤ表示させる（Ｓ２）。その際、前記制御回路８は、前記ＯＳＤ処理回路５を制御することにより、前記動作モードがいずれのモードであるか（「ＳＣモード」であるか「選局モード」であるか）を識別する「ＳＣ」マークｖ２を前記モニタ画面６に表示させる（モード識別マーク表示制御手段の一例）。具体的には、前記制御回路８は、前記動作モードが前記「ＳＣモード」である場合には、前記「ＳＣ」マークｖ２を前記モニタ画面６に表示させ、前記動作モードが前記「選局モード」である場合には、前記「ＳＣ」マークｖ２を前記モニタ画面６に非表示の状態にする。
【００１７】
［ステップＳ３］
次に、前記制御回路８は、前記リモコンインターフェース回路９を通じて入力される信号に基づいて、前記リモコン７に設けられた次の（ａ）〜（ｅ）に示す操作キーのうちのいずれのキーが操作されたか否かを判別する（Ｓ３）。
（ａ）「ＳＣキー」：前記動作モードを切り替えるための専用の操作キー。
（ｂ）「数字キー」：前記放送チャンネルの指定又は前記設定項目の指定を行うための操作キー。
（ｃ）「決定キー」：前記設定項目の選択を確定するための操作キー。
（ｄ）「方向キー」：項目選択のためにモニタ画面６上のカーソルを移動させるための操作キー（前記カーソル移動キーの一例）。
（ｅ）「設定項目表示キー」：前記項目選択メニュー映像ｖ１の表示／非表示を切り替えるための操作キー。
【００１８】
［ステップＳ４、Ｓ５］
そして、前記制御回路８は、前記「ＳＣキー」（前記動作モードの切り替え用の専用キー）が操作されたと判別すると、前記動作モードの切り替え（Ｓ４、動作モード切替手段の一例）と、前記「ＳＣ」マークｖ２の表示／非表示の切り替え（Ｓ５）とを実行し、処理を再び前記ステップＳ３へ移行させる。
具体的には、前記制御回路８は、前記動作モードが前記「ＳＣモード」である場合は、前記動作モードを前記「選局モード」に変更し（Ｓ４）、前記モニタ画面６から前記「ＳＣ」マークｖ２の表示を消去する（Ｓ５）。一方、前記制御回路８は、前記動作モードが前記「選局モード」である場合は、前記動作モードを前記「ＳＣモード」に変更し（Ｓ４）、前記モニタ画面６に前記「ＳＣ」マークｖ２を表示させる。
このように、当該テレビジョン受像機Ｘは、前記動作モードがいずれのモードであるかを識別する前記「ＳＣ」マークｖ２を前記モニタ画面６に表示させる（Ｓ２、Ｓ５）。これにより、ユーザは、前記数字キーの操作が、後述する前記数字キー選局処理（Ｓ１０）及び前記設定項目の選択処理（Ｓ７）のいずれに反映されるかを容易に把握できる。
【００１９】
［ステップＳ６、Ｓ７］
また、前記制御回路８は、前記「数字キー」が操作されたと判別すると、その時点の前記動作モードの内容を判別（Ｓ６）し、その内容に応じて異なる処理を実行する。
即ち、前記制御回路８は、前記動作モードが前記「ＳＣモード」（前記第１モードに相当）である場合に、ステップＳ３で操作が検知された前記数字キーの数字に対応する前記設定項目を選択する（Ｓ７、前記数字キー設定項目選択手段の一例）。具体的には、前記制御回路８は、前記動作モードが前記「ＳＣ」モードである状態で前記数字キーの操作が検知されるごとに、その数字キーの数字を前記ＥＥＰＲＯＭ８ｃ等に記憶させておく。さらに前記制御回路８は、その記憶させた数字の組合せ（各階層の前記項目選択メニュー映像ｖ１に対して入力された数字の組合せ）に対応する前記設定項目を、前記数字・設定項目対応情報に基づいて選択（特定）する。
【００２０】
［ステップＳ８、Ｓ９］
さらに、前記制御回路８は、ステップＳ７で選択した前記設定項目について、さらに下位の前記項目選択メニュー映像ｖ１が存在するか否かを判別する（Ｓ８）。そして、前記制御回路８は、さらに下位の前記項目選択メニュー映像ｖ１が存在すると判別した場合には、処理を前述したステップＳ２へ移行させる。これにより、前記制御回路８は、ステップＳ７で選択した前記設定項目に対応する下位の前記項目選択メニュー映像ｖ１を前記モニタ画面６にＯＳＤ表示（表示の更新）させ（Ｓ２）、再度、ステップＳ３の処理を実行する。
一方、前記制御回路８は、ステップＳ８において、さらに下位の前記項目選択メニュー映像ｖ１が存在しないと判別した場合、即ち、ステップＳ７で選択した前記設定項目が前記設定情報そのものに対応する（直結する）ものであると判別した場合には、その設定情報（前記設定項目の内容）の入力処理及び更新処理を実行し（Ｓ９）、その後、処理を前述したステップＳ２へ移行させる。
このステップＳ９の処理は、前記動作モードが前記「ＳＣモード」（前記第１モードに相当）である場合に実行される処理であり、前記リモコン７に対する操作内容に基づいて前記設定情報の入力及び更新を行う処理である。このステップＳ９において、前記制御回路８は、ステップＳ７の処理（前記数字キー設定項目選択手段の処理の一例）により数値情報を設定内容とする前記設定項目が選択された場合には、前記数字キーに対する操作の検知結果（入力された数字）に基づいて、前記設定項目に前記数値情報を設定する（前記数字キー数値設定手段に相当）。
例えば、前記制御回路８は、ステップＳ７の処理によって選択された前記設定項目が、「映像調整」の中の「明るさ」（図２参照）である場合や、「音声調整」の中の「低音」である場合に、前記数字キーの操作入力に従って、「１」〜「１６」までの１６段階の明るさの値（数値情報）や「低音」の強さの値（数値情報）を設定する。
これにより、前記リモコン７の前記数字キーが、前記設定項目の数値入力用としても兼用され、前記方向キーの操作等に従って値を順次変更する場合に比べ、前記設定項目の内容変更（数値入力）の操作が簡素化される。
【００２１】
［ステップＳ１０］
一方、前記制御回路８は、前記ステップＳ６において前記動作モードが前記「選局モード」（前記第２モードに相当）であると判別した場合、ステップＳ３で操作が検知された前記数字キーに対応する前記放送チャンネルを選択する前記数字キー選局を実行し（Ｓ１０、前記数字キー選局手段の一例）、その後、処理を前述したステップＳ３へ移行させる。
これにより、前記モニタ画面６に表示される前記番組映像ｖ０が、ステップＳ３で操作が検知された前記数字キーに対応する前記放送チャンネルの番組の映像に切り替わる。なお、前記モニタ画面６に表示される前記項目選択メニュー映像ｖ１及び前記「ＳＣ」マークｖ２の表示状態はそのまま維持される。
【００２２】
［ステップＳ１１］
また、前記制御回路８は、前記ステップＳ３において前記「方向キー」が操作されたことを検知すると、前記項目選択メニュー映像ｖ１において、その「方向キー」に対応する方向の隣に表示されている前記設定項目の情報ｄ１へカーソルを移動させるとともに、そのカーソルに対応する前記設定項目を新たな選択対象として設定し（Ｓ１１）、その後、処理を前述したステップＳ３へ移行させる。
また、前記制御回路８は、前記ステップＳ３において前記「決定キー」が操作されたことを検知すると、処理をステップＳ７へ移行させ、その時点で選択対象として設定している前記設定項目を選択する（Ｓ７）。これ以降、前記制御回路８は、前述したステップＳ８以降の処理を実行する。
このように、前記制御回路８は、前記動作モードが前記「ＳＣモード」であるか前記「選局モード」であるかによらず、前記方向キー（カーソル移動キーに相当）に対する操作の検知に基づいて前記設定項目を選択する（Ｓ１１及びＳ７、カーソル移動キー設定項目選択手段の一例）。
【００２３】
［ステップＳ１２］
また、前記制御回路８は、前記ステップＳ３において前記「設定項目表示キー」が操作されたことを検知すると、前記ＯＳＤ処理回路５を制御することにより、前記モニタ画面６に対する前記項目選択メニュー映像ｖ１の表示を消去し（Ｓ１２）、当該設定項目選択・更新処理を終了させる。
これにより、前記モニタ画面６は、その時点で選択されている前記放送チャンネルの番組映像ｖ０が表示され、前記項目選択メニュー映像ｖ１が非表示の状態となる。
【００２４】
前記設定項目選択・更新処理を実行する前記テレビジョン受像機Ｘは、前記項目選択メニュー映像ｖ１の表示状態において前記設定項目の選択（Ｓ７）や内容設定（Ｓ９）がなされる際に、前記リモコン７に設けられた前記数字キーに対する操作を、前記放送チャンネルの選局（即ち、出力映像や出力音声の切り替え）の指示として採用する（Ｓ１０）か、前記設定項目の選択の指示として採用する（Ｓ７）かを前記動作モードに応じて切り替える（Ｓ６）。
そして、前記テレビジョン受像機Ｘは、前記動作モードが前記「ＳＣモード」である場合には、前記数字キーの１回の操作に応じて１つの前記設定項目を選択する（Ｓ７）。これにより、前記数字キーによる放送チャンネルの選局（Ｓ１０）が可能であると同時に、前記設定項目を選択するために必要な前記リモコン７に対する操作が簡素化される。
また、前記テレビジョン受像機Ｘにおいて、前記設定項目が、前記モニタ画面６による映像出力状態の調整に関する前記設定項目（「明るさ」や「色合い」等）、及び前記スピーカ１３による音声出力状態の調整に関する設定項目（「音質」や「サラウンド」等）を含んでいる。このため、ユーザは、前記「ＳＣキー」の操作によって前記動作モードを随時切り替えることにより、複数の前記放送チャンネル（番組）について、前記モニタ画面６の映像出力状態や前記スピーカ１３の音声出力状態を確認しながら前記設定項目を設定（調整）する操作を容易に行うことができる。
【００２５】
ところで、前記テレビジョン受像機Ｘにおいて、前記制御回路８は、前記リモコン７に設けられた前記「ＳＣキー」（専用キー）に対する操作の検知に基づいて、前記動作モードの切り替えを行った（Ｓ４）。
これに対し、前記制御回路８（前記動作モード切替手段の一例）が、ステップＳ３において前記数字キーの操作が検知された場合に、その操作が予め定められた時間以上継続する長押し操作であるか否かを判別し、その長押し操作であると判別したときにのみ前記動作モードを前記「ＳＣモード」から一時的に前記「選局モード」に切り替え、ステップＳ１０の処理（前記数字キー選局）の実行後に前記「ＳＣモード」に戻すことも考えられる。
これにより、前記リモコン７に前記「ＳＣキー」（専用キー）を設ける必要がなくなる。
また、前記実施形態では、前記リモコン７が前記テレビジョン受像機Ｘの操作入力部であったが、前記テレビジョン受像機Ｘの本体に操作入力部（各種の操作キー）が設けられた構成も考えられる。
【産業上の利用可能性】
【００２６】
本発明は、テレビジョン受像機に利用可能である。
【図面の簡単な説明】
【００２７】
【図１】本発明の実施形態に係るテレビジョン受像機Ｘの概略構成を表すブロック図。
【図２】テレビジョン受像機Ｘにおける階層的な項目選択メニュー映像の構成の一例を表す図。
【図３】テレビジョン受像機Ｘにおける項目選択メニュー映像の表示例を表した図。
【図４】テレビジョン受像機Ｘにおける設定項目選択・更新処理の手順を表すフローチャート。
【符号の説明】
【００２８】
Ｘ：テレビジョン受像機
１ａ、１ｂ、１ｃ：チューナ
２：外部入力部
３：映像切替回路
４：映像処理回路
５：ＯＳＤ処理回路
６：モニタ画面
７：リモコン
８：制御回路
９：リモコンインターフェース回路
１０：音声切替回路
１１：音声処理回路
１２：アンプ
１３：スピーカ
ｖ０：番組映像
ｖ１：項目選択メニュー映像
ｖ２：動作モードを識別するマーク
ｄ１：設定項目の情報
ｄ２：数字
Ｓ１、Ｓ２、…：ステップ（処理手順）
【図１】
2008098913.tif 000003
【図２】
2008098913.tif 000004
【図３】
2008098913.tif 000005
【図４】
2008098913.tif 000006